(57)【特許請求の範囲】
【請求項１】
柱状の相変化層と、
前記柱状の相変化層を取り囲み、前記柱状の相変化層の側面上に形成されているリセットゲート絶縁膜と、
前記リセットゲート絶縁膜を取り囲むリセットゲートと、
を有し、
前記柱状の相変化層と前記リセットゲート絶縁膜とは接しており、
前記柱状の相変化層と前記リセットゲートとは電気的に絶縁されており、
前記リセットゲートは前記柱状の相変化層の起立方向に垂直な方向に延在している、
ことを特徴とする記憶装置。
【請求項２】
前記柱状の相変化層の下部に、下部電極を有することを特徴とする請求項１に記載の記憶装置。
【請求項３】
前記リセットゲートは、窒化チタンからなることを特徴とする請求項１に記載の記憶装置。
【請求項４】
前記リセットゲート絶縁膜は、窒化膜からなることを特徴とする請求項１に記載の記憶装置。
【請求項５】
前記下部電極は、窒化チタンからなることを特徴とする請求項２に記載の記憶装置。
【請求項６】
前記リセットゲートに前記柱状の相変化層の起立方向に垂直な方向に電流を流すことにより、前記柱状の相変化層のリセットを行うことを特徴とする請求項１に記載の記憶装置。
【発明の詳細な説明】
【技術分野】
【０００１】
本発明は記憶装置に関する。
【背景技術】
【０００２】
近年、相変化メモリが開発されている（例えば、特許文献１を参照）。相変化メモリは、メモリセルの情報記憶素子の抵抗を変化記録することにより、情報を記憶する。
【０００３】
セルトランジスタをオンすることによりビット線とソース線間に電流を流すと、高抵抗素子のヒーターで熱が発生し、このヒーターに接するカルコゲナイドガラス（ＧＳＴ：Ｇｅ２Ｓｂ２Ｔｅ５）を融解し、状態を遷移させるメカニズムである。高温（高電流）で融解し高速で冷やす（電流を止める）とアモルファス状態（Ｒｅｓｅｔ動作）になり、比較的低い高温（低電流）で融解しゆっくり冷やす（電流を徐々に減らす）と結晶化する（Ｓｅｔ動作）。これにより読み出し時、ビット線―ソース線間に流れる電流が多い（低抵抗＝結晶状態）場合と、少ない場合（高抵抗＝アモルファス）で、０、１情報の判断をする（例えば、特許文献１を参照）。
【０００４】
この場合、例えばＲｅｓｅｔ電流が２００ｕＡと非常に多い。この様にＲｅｓｅｔ電流を大きく、この電流をセルトランジスタに流すためには、メモリセルサイズが非常に大きくなる。大きな電流を流すためには、バイポーラトランジスタやダイオードの選択素子を用いることができる（例えば、特許文献１を参照）。
【０００５】
ダイオードは二端子素子であるので、メモリセルを選択するためには、一本のソース線を選択すると一本のソース線に接続された全てのメモリセルの電流が一本のソース線に流れることとなる。従って、ソース線の抵抗でのＩＲドロップが大きくなる。
【０００６】
一方、バイポーラトランジスタは三端子素子であるが、ゲートに電流が流れるので、ワード線に多くのトランジスタを接続することが難しい。
【０００７】
基板に対してソース、ゲート、ドレインが垂直方向に配置され、ゲート電極が柱状半導体層を取り囲む構造のSurrounding Gate Transistor（以下、「ＳＧＴ」という。）が提案されている（例えば、特許文献２を参照）。基板に対してソース、ゲート、ドレインが垂直方向に配置されているため、小さいセル面積を実現することができる。
【先行技術文献】
【特許文献】
【０００８】
【特許文献１】特開２０１２−２０４４０４号公報
【特許文献２】特開２００４−３５６３１４号公報
【発明の概要】
【発明が解決しようとする課題】
【０００９】
そこで、リセットゲートを用いてリセットを行うことができる、抵抗が変化する層を有する記憶装置を有するメモリを提供することを目的とする。
【課題を解決するための手段】
【００１０】
本発明の第１の観点に係る記憶装置は、
柱状の相変化層と、
前記柱状の相変化層を取り囲み、前記柱状の相変化層の側面上に形成されているリセットゲート絶縁膜と、
前記リセットゲート絶縁膜を取り囲むリセットゲートと、
を有し、
前記柱状の相変化層と前記リセットゲート絶縁膜とは接しており、
前記柱状の相変化層と前記リセットゲートとは電気的に絶縁されており、
前記リセットゲートは前記柱状の相変化層の起立方向に垂直な方向に延在している、
ことを特徴とする。
【００１１】
前記柱状の相変化層の下部に、下部電極を有する、ことが好ましい。
【００１２】
前記リセットゲートは、窒化チタンからなる、ことが好ましい。
【００１３】
前記リセットゲート絶縁膜は、窒化膜からなる、ことが好ましい。
【００１４】
前記下部電極は、窒化チタンからなる、ことが好ましい。
【００１５】
前記リセットゲートに前記柱状の相変化層の起立方向に垂直な方向に電流を流すことにより、前記柱状の相変化層のリセットを行う、ことが好ましい。
【発明の効果】
【００１６】
本発明によれば、リセットゲートを用いてリセットを行うことができる、抵抗が変化する層を有する記憶装置を有するメモリを提供することができる。
【００１７】
柱状の抵抗が変化する層と、前記柱状の抵抗が変化する層を取り囲むリセットゲート絶縁膜と、前記リセットゲート絶縁膜を取り囲むリセットゲートと、を有することにより、リセットゲートに電流を流すことで、ヒーターであるリセットゲートで熱が発生し、このヒーターに接するカルコゲナイドガラス（ＧＳＴ：Ｇｅ２Ｓｂ２Ｔｅ５）を融解し、状態を遷移させることができる。
【００１８】
リセットゲートが柱状の抵抗が変化する層を取り囲む構造のため、柱状の抵抗が変化する層が熱しやすい。
【００１９】
リセットゲートに電流を流すことでリセットを行うため、選択素子に大電流を流す必要はなく、選択素子は、セット動作用の低電流を流すことができればよい。
【図面の簡単な説明】
【００２０】
【図１】（ａ）は本発明に係る記憶装置の鳥瞰図である。（ｂ）は（ａ）のＸ−Ｘ’線での断面図である。（ｃ）は（ａ）のＹ−Ｙ’線での断面図である。
【図２】（ａ）は本発明に係る記憶装置の平面図である。（ｂ）は（ａ）のＸ−Ｘ’線での断面図である。（ｃ）は（ａ）のＹ−Ｙ’線での断面図である。
【図３】（ａ）は本発明に係る記憶装置の平面図である。（ｂ）は（ａ）のＸ−Ｘ’線での断面図である。（ｃ）は（ａ）のＹ−Ｙ’線での断面図である。
【図４】（ａ）は本発明に係る記憶装置の平面図である。（ｂ）は（ａ）のＸ−Ｘ’線での断面図である。（ｃ）は（ａ）のＹ−Ｙ’線での断面図である。
【図５】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図６】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図７】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図８】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図９】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図１０】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図１１】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図１２】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図１３】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図１４】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図１５】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図１６】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図１７】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図１８】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図１９】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図２０】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図２１】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図２２】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図２３】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図２４】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図２５】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図２６】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図２７】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図２８】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図２９】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図３０】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図３１】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図３２】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図３３】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図３４】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図３５】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図３６】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図３７】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図３８】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図３９】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図４０】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図４１】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図４２】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図４３】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図４４】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図４５】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図４６】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図４７】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図４８】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図４９】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図５０】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図５１】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図５２】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図５３】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【図５４】（ａ）は本発明に係る記憶装置の製造方法に係る平面図である。（ｂ）は（ａ）のＸ−Ｘ’線での断面図である。（ｃ）は（ａ）のＹ−Ｙ’線での断面図である。
【発明を実施するための形態】
【００２１】
以下に記憶装置の構造を図１に示す。
【００２２】
柱状の抵抗が変化する層５０１と、前記柱状の抵抗が変化する層５０１を取り囲むリセットゲート絶縁膜５０２と、前記リセットゲート絶縁膜５０２を取り囲むリセットゲート５０３と、を有する。
【００２３】
柱状の抵抗が変化する層５０１は、カルコゲナイドガラス（ＧＳＴ：Ｇｅ２Ｓｂ２Ｔｅ５）であることが好ましい。
【００２４】
前記柱状の抵抗が変化する層５０１の下部に、下部電極５０４を有する。
【００２５】
前記リセットゲート５０３は、電流が流れて発熱する材料であればよい。窒化チタンであることが好ましい。
【００２６】
前記リセットゲート絶縁膜５０２は、熱伝導性がよい絶縁膜であればよい。窒化膜であることが好ましい。
【００２７】
前記下部電極５０４は、電流が流れて発熱する材料であればよい。窒化チタンであることが好ましい。
【００２８】
前記リセットゲート５０３に電流を流すことにより、ヒーターであるリセットゲート５０３で熱が発生し、このヒーターに接する柱状の抵抗が変化する層５０１を融解し、状態を遷移させることができる。
【００２９】
図２は本発明の半導体装置であるメモリセルを一行一列目と、一行三列目、二行一列目と、二行三列目に配置し、ソース線を相互に接続するためにコンタクト電極、コンタクト配線を有するコンタクト装置を一行二列目と二行二列目に配置している。
【００３０】
二行一列目のメモリセルは、半導体基板１０１上に形成されたフィン状半導体層１０４と、前記フィン状半導体層１０４の周囲に形成された第１の絶縁膜１０６と、前記フィン状半導体層１０４上に形成された前記第１の柱状半導体層１２９と、前記フィン状半導体層１０４に直交する方向の前記第１の柱状半導体層１２９の幅は前記フィン状半導体層１０４に直交する方向の前記フィン状半導体層１０４の幅と同じであって、第１の柱状半導体層１２９と、前記第１の柱状半導体層１２９の周囲に形成されたゲート絶縁膜１６２と、前記ゲート絶縁膜１６２の周囲に形成された金属からなるゲート電極１６８ａと、前記ゲート電極１６８ａに接続された金属からなるゲート配線１６８ｂと、前記ゲート電極１６８ａと前記ゲート配線１６８ｂの周囲と底部に形成された前記ゲート絶縁膜１６２と、前記ゲート配線１６８ｂは前記フィン状半導体層１０４に直交する方向に延在するのであって、前記ゲート電極１６８ａの外側の幅と前記ゲート配線１６８ｂの幅は同じであって、前記第１の柱状半導体層１２９の上部に形成された第１の拡散層３０２と、前記第１の柱状半導体層１２９の下部に形成された前記第２の拡散層１４３ａと、前記第２の拡散層１４３ａは前記フィン状半導体層１０４に更に形成されている。
【００３１】
前記第１の拡散層３０２上に、下部電極１７５ａ、柱状の抵抗が変化する層１７６ａ、リセットゲート絶縁膜１８２、リセットゲート１８３ａを有する。
【００３２】
二行三列目のメモリセルは、半導体基板１０１上に形成されたフィン状半導体層１０４と、前記フィン状半導体層１０４の周囲に形成された第１の絶縁膜１０６と、前記フィン状半導体層１０４上に形成された前記第１の柱状半導体層１３１と、前記フィン状半導体層１０４に直交する方向の前記第１の柱状半導体層１３１の幅は前記フィン状半導体層１０４に直交する方向の前記フィン状半導体層１０４の幅と同じであって、第１の柱状半導体層１３１と、前記第１の柱状半導体層１３１の周囲に形成されたゲート絶縁膜１６３と、前記ゲート絶縁膜１６３の周囲に形成された金属からなるゲート電極１７０ａと、前記ゲート電極１７０ａに接続された金属からなるゲート配線１７０ｂと、前記ゲート電極１７０ａと前記ゲート配線１７０ｂの周囲と底部に形成された前記ゲート絶縁膜１６３と、前記ゲート配線１７０ｂは前記フィン状半導体層１０４に直交する方向に延在するのであって、前記ゲート電極１７０ａの外側の幅と前記ゲート配線１７０ｂの幅は同じであって、前記第１の柱状半導体層１３１の上部に形成された第１の拡散層３０４と、前記第１の柱状半導体層１３１の下部に形成された前記第２の拡散層１４３ａと、前記第２の拡散層１４３ａは前記フィン状半導体層１０４に更に形成されている。
【００３３】
前記第１の拡散層３０４上に、下部電極１７５ｂ、柱状の抵抗が変化する層１７６ｂ、リセットゲート絶縁膜１８２、リセットゲート１８３ｂを有する。
【００３４】
柱状の抵抗が変化する層１７６ａ上部と、柱状の抵抗が変化する層１７６ｂ上部は、ビット線１８８ａにより接続される。
【００３５】
一行一列目のメモリセルは、半導体基板１０１上に形成されたフィン状半導体層１０５と、前記フィン状半導体層１０５の周囲に形成された第１の絶縁膜１０６と、前記フィン状半導体層１０５上に形成された前記第１の柱状半導体層１３２と、前記フィン状半導体層１０５に直交する方向の前記第１の柱状半導体層１３２の幅は前記フィン状半導体層１０５に直交する方向の前記フィン状半導体層１０５の幅と同じであって、第１の柱状半導体層１３２と、前記第１の柱状半導体層１３２の周囲に形成されたゲート絶縁膜１６２と、前記ゲート絶縁膜１６２の周囲に形成された金属からなるゲート電極１６８ａと、前記ゲート電極１６８ａに接続された金属からなるゲート配線１６８ｂと、前記ゲート電極１６８ａと前記ゲート配線１６８ｂの周囲と底部に形成された前記ゲート絶縁膜１６２と、前記ゲート配線１６８ｂは前記フィン状半導体層１０５に直交する方向に延在するのであって、前記ゲート電極１６８ａの外側の幅と前記ゲート配線１６８ｂの幅は同じであって、前記第１の柱状半導体層１３２の上部に形成された第１の拡散層３０５と、前記第１の柱状半導体層１３２の下部に形成された前記第２の拡散層１４３ｂと、前記第２の拡散層１４３ｂは前記フィン状半導体層１０５に更に形成されている。
【００３６】
前記第１の拡散層３０５上に、下部電極１７５ｃ、柱状の抵抗が変化する層１７６ｃ、リセットゲート絶縁膜１８２、リセットゲート１８３ａを有する。
【００３７】
一行三列目のメモリセルは、半導体基板１０１上に形成されたフィン状半導体層１０５と、前記フィン状半導体層１０５の周囲に形成された第１の絶縁膜１０６と、前記フィン状半導体層１０５上に形成された前記第１の柱状半導体層１３４と、前記フィン状半導体層１０５に直交する方向の前記第１の柱状半導体層１３４の幅は前記フィン状半導体層１０５に直交する方向の前記フィン状半導体層１０５の幅と同じであって、第１の柱状半導体層１３４と、前記第１の柱状半導体層１３４の周囲に形成されたゲート絶縁膜１６３と、前記ゲート絶縁膜１６３の周囲に形成された金属からなるゲート電極１７０ａと、前記ゲート電極１７０ａに接続された金属からなるゲート配線１７０ｂと、前記ゲート電極１７０ａと前記ゲート配線１７０ｂの周囲と底部に形成された前記ゲート絶縁膜１６３と、前記ゲート配線１７０ｂは前記フィン状半導体層１０５に直交する方向に延在するのであって、前記ゲート電極１７０ａの外側の幅と前記ゲート配線１７０ｂの幅は同じであって、前記第１の柱状半導体層１３４の上部に形成された第１の拡散層３０７と、前記第１の柱状半導体層１３４の下部に形成された前記第２の拡散層１４３ｂと、前記第２の拡散層１４３ｂは前記フィン状半導体層１０５に更に形成されている。
【００３８】
前記第１の拡散層３０７上に、下部電極１７５ｄ、柱状の抵抗が変化する層１７６ｄ、リセットゲート絶縁膜１８２、リセットゲート１８３ｂを有する。
【００３９】
柱状の抵抗が変化する層１７６ｃと、柱状の抵抗が変化する層１７６ｄは、ビット線１８８ｂにより接続される。
【００４０】
また、前記ゲート電極１６８ａ、１７０ａは金属であって、前記ゲート配線１６８ｂ、１７０ｂは金属であるので、冷却を早めることができる。また、前記ゲート電極１６８ａ、１７０ａと前記ゲート配線の周囲と底部に形成された前記ゲート配線１６８ｂ、１７０ｂと、を有することにより、ゲートラストによって、金属ゲートが形成されるので、金属ゲートプロセスと高温プロセスを両立させることができる。
【００４１】
また、前記ゲート電極１６８ａ、１７０ａと前記ゲート配線１６８ｂ、１７０ｂの周囲と底部に形成された前記ゲート絶縁膜１６２、１６３と、を有し、前記ゲート電極１６８ａ、１７０ａは金属であって、前記ゲート配線１６８ｂ、１７０ｂは金属であって、前記ゲート配線１６８ｂ、１７０ｂは前記フィン状半導体層１０４、１０５に直交する方向に延在するのであって、前記第２の拡散層１４３ａ、１４３ｂは前記フィン状半導体層１０４、１０５に更に形成され、前記ゲート電極１６８ａ、１７０ａの外側の幅と前記ゲート配線１６８ｂ、１７０ｂの幅は同じであって、前記第１の柱状半導体層１２９、１３１、１３２、１３４の幅は前記フィン状半導体層１０４、１０５の幅と同じであることを特徴とすることにより、本半導体装置のフィン状半導体層１０４、１０５と、第１の柱状半導体層１２９、１３１、１３２、１３４と、ゲート電極１６８ａ、１７０ａと、ゲート配線１６８ｂ、１７０ｂが、二枚のマスクにより、自己整合で形成されるので、工程数を削減することができる。
【００４２】
二行二列目のコンタクト装置は、前記半導体基板１０１上に形成された前記フィン状半導体層１０４と、前記フィン状半導体層１０４の周囲に形成された前記第１の絶縁膜１０６と、前記フィン状半導体層１０４上に形成された第２の柱状半導体層１３０と、前記フィン状半導体層１０４に直交する方向の前記第２の柱状半導体層１３０の幅は前記フィン状半導体層１０４に直交する方向の前記フィン状半導体層１０４の幅と同じであって、前記第２の柱状半導体層１３０の周囲に形成された金属からなるコンタクト電極１６９ａと、前記第２の柱状半導体層１３０と前記コンタクト電極１６９ａとの間に形成された前記ゲート絶縁膜１６５を有し、前記コンタクト電極１６９ａに接続された前記フィン状半導体層１０４に直交する方向に延在する金属からなる前記コンタクト配線１６９ｂと、前記コンタクト電極１６９ａと前記コンタクト配線１６９ｂの周囲に形成された前記ゲート絶縁膜１６４を有し、前記コンタクト電極１６９ａの外側の幅と前記コンタクト配線１６９ｂの幅は同じであって、前記フィン状半導体層１０４と前記第２の柱状半導体層１３０の下部に形成された前記第２の拡散層１４３ａと、前記コンタクト電極１６９ａは前記第２の拡散層１４３ａと接続するのであって、を有する。
【００４３】
一行二列目のコンタクト装置は、前記半導体基板１０１上に形成された前記フィン状半導体層１０５と、前記フィン状半導体層１０５の周囲に形成された前記第１の絶縁膜１０６と、前記フィン状半導体層１０５上に形成された第２の柱状半導体層１３３と、前記フィン状半導体層１０５に直交する方向の前記第２の柱状半導体層１３３の幅は前記フィン状半導体層１０５に直交する方向の前記フィン状半導体層１０５の幅と同じであって、前記第２の柱状半導体層１３３の周囲に形成された金属からなるコンタクト電極１６９ａと、前記第２の柱状半導体層１３３と前記コンタクト電極１６９ａとの間に形成された前記ゲート絶縁膜１６６を有し、前記コンタクト電極１６９ａに接続された前記フィン状半導体層１０５に直交する方向に延在する金属からなる前記コンタクト配線１６９ｂと、前記コンタクト電極１６９ａと前記コンタクト配線１６９ｂの周囲に形成された前記ゲート絶縁膜１６４を有し、前記コンタクト電極１６９ａの外側の幅と前記コンタクト配線１６９ｂの幅は同じであって、前記フィン状半導体層１０５と前記第２の柱状半導体層１３３の下部に形成された前記第２の拡散層１４３ｂと、前記コンタクト電極１６９ａは前記第２の拡散層１４３ｂと接続するのであって、を有する。
【００４４】
また、前記第２の拡散層１４３ａ、１４３ｂに接続される前記ゲート配線１６８ｂ、１７０ｂに平行なコンタクト配線１６９ｂを有することにより、第２の拡散層１４３ａ、１４３ｂを相互に接続することでソース線の抵抗を下げることができ、セット時の電流によるソース電圧の増加を抑制することができる。前記ゲート配線１６８ｂ、１７０ｂに平行なコンタクト配線１６９ｂは、例えば、ビット線１８８ａ、１８８ｂ方向に一列に配置されたメモリセル２個毎、４個毎、８個毎、１６個毎、３２個毎、６４個毎に一本配置することが好ましい。
【００４５】
また、第２の柱状半導体層１３０、１３３と第２の柱状半導体層１３０、１３３周囲に形成されるコンタクト電極１６９ａとコンタクト配線１６９ｂとで形成される構造は、コンタクト電極１６９ａが前記第２の拡散層１４３ａ、１４３ｂと接続すること以外はトランジスタ構造と同じ構造であり、ゲート配線１６８ｂ、１７０ｂに平行な方向の第２の拡散層１４３ａ、１４３ｂからなる全てのソース線はコンタクト配線１６９ｂに接続されることになるため、工程数を削減することができる。
【００４６】
図３は、半導体基板１０１深くまで第２の拡散層１４３ｃを形成し、図１の第２の拡散層１４３ａ、１４３ｂを接続した構造である。本構造とすることでさらにソース抵抗を削減することができる。
【００４７】
図４は、図２の前記フィン状半導体層１０５と、前記フィン状半導体層１０５の周囲に形成された前記第１の絶縁膜１０６を省き、半導体基板１０１上に第２の拡散層１４３ｄを形成した構造である。本構造とすることでさらにソース抵抗を削減することができる。
【００４８】
以下に、本発明の実施形態に係る半導体装置の構造を形成するための製造工程を、図５〜図５４を参照して説明する。
【００４９】
まず、半導体基板上にフィン状半導体層を形成し、前記フィン状半導体層の周囲に第１の絶縁膜を形成する第１工程を示す。本実施例では、シリコン基板としたが、半導体であればよい。
【００５０】
図５に示すように、シリコン基板１０１上にフィン状シリコン層を形成するための第１のレジスト１０２、１０３を形成する。
【００５１】
図６に示すように、シリコン基板１０１をエッチングし、フィン状シリコン層１０４、１０５を形成する。今回はレジストをマスクとしてフィン状シリコン層を形成したが、酸化膜や窒化膜といったハードマスクを用いてもよい。
【００５２】
図７に示すように、第１のレジスト１０２、１０３を除去する。
【００５３】
図８に示すように、フィン状シリコン層１０４、１０５の周囲に第１の絶縁膜１０６を堆積する。第１の絶縁膜として高密度プラズマによる酸化膜や低圧CVD(Chemical Vapor Deposition)による酸化膜を用いてもよい。
【００５４】
図９に示すように、第１の絶縁膜１０６をエッチバックし、フィン状シリコン層１０４、１０５の上部を露出する。
【００５５】
以上により半導体基板上にフィン状半導体層を形成し、前記フィン状半導体層の周囲に第１の絶縁膜を形成する第１工程が示された。
【００５６】
次に、前記第１工程の後、前記フィン状半導体層の周囲に第２の絶縁膜を形成し、前記第２の絶縁膜の上に第１のポリシリコンを堆積し平坦化し、ゲート配線と第１の柱状半導体層と第２の柱状半導体層とコンタクト配線を形成するための第２のレジストを、前記フィン状半導体層の方向に対して垂直の方向に形成し、前記第１のポリシリコンと前記第２の絶縁膜と前記フィン状半導体層をエッチングすることにより、第１の柱状半導体層と前記第１のポリシリコンによる第１のダミーゲートと第２の柱状半導体層と前記第１のポリシリコンによる第２のダミーゲートを形成する第２工程を示す。
【００５７】
図１０に示すように、前記フィン状シリコン層１０４、１０５の周囲に第２の絶縁膜１０７、１０８を形成する。第２の絶縁膜１０７、１０８は、酸化膜が好ましい。
【００５８】
図１１に示すように、前記第２の絶縁膜１０７、１０８の上に第１のポリシリコン１０９を堆積し平坦化する。
【００５９】
図１２に示すように、前記第１のポリシリコン１０９上に第３の絶縁膜１１０を形成する。第３の絶縁膜１１０は、窒化膜が好ましい。
【００６０】
図１３に示すように、ゲート配線１６８ｂ、１７０ｂと第１の柱状シリコン層１２９、１３１、１３２、１３４と第２の柱状シリコン層１３０、１３３とコンタクト配線１６９ｂを形成するための第２のレジスト１１１、１１２、１１３を、前記フィン状シリコン層１０４、１０５の方向に対して垂直の方向に形成する。
【００６１】
図１４に示すように、前記第３の絶縁膜１１０と前記第１のポリシリコン１０９と前記第２の絶縁膜１０７、１０８と前記フィン状シリコン層１０４、１０５をエッチングすることにより、第１の柱状シリコン層１２９、１３１、１３２、１３４と前記第１のポリシリコンによる第１のダミーゲート１１７、１１９と第２の柱状シリコン層１３０、１３３と前記第１のポリシリコンによる第２のダミーゲート１１８を形成する。このとき、第３の絶縁膜１１０は、分離され、第３の絶縁膜１１４、１１５、１１６となる。また、第２の絶縁膜１０７、１０８は分離され、第２の絶縁膜１２３、１２４、１２５、１２６、１２７、１２８となる。このとき、第２のレジスト１１１、１１２、１１３がエッチング中に除去された場合、第３の絶縁膜１１４、１１５、１１６がハードマスクとして機能する。第２のレジストがエッチング中に除去されないとき、第３の絶縁膜を使用しなくてもよい。
【００６２】
図１５に示すように、第３の絶縁膜１１４、１１５、１１６を除去する。
【００６３】
以上により、前記第１工程の後、前記フィン状半導体層の周囲に第２の絶縁膜を形成し、前記第２の絶縁膜の上に第１のポリシリコンを堆積し平坦化し、ゲート配線と第１の柱状半導体層と第２の柱状半導体層とコンタクト配線を形成するための第２のレジストを、前記フィン状半導体層の方向に対して垂直の方向に形成し、前記第１のポリシリコンと前記第２の絶縁膜と前記フィン状半導体層をエッチングすることにより、第１の柱状半導体層と前記第１のポリシリコンによる第１のダミーゲートと第２の柱状半導体層と前記第１のポリシリコンによる第２のダミーゲートを形成する第２工程が示された。
【００６４】
次に、前記第２工程の後、前記第１の柱状半導体層と前記第２の柱状半導体層と前記第１のダミーゲートと前記第２のダミーゲートの周囲に第４の絶縁膜を形成し、前記第４の絶縁膜の周囲に第２のポリシリコンを堆積し、エッチングをすることにより、前記第１のダミーゲートと前記第１の柱状半導体層と前記第２のダミーゲートと前記第２の柱状半導体層の側壁に残存させ、第３のダミーゲートと第４のダミーゲートを形成する第３工程を示す。
【００６５】
図１６に示すように、前記第１の柱状シリコン層１２９、１３１、１３２、１３４と前記第２の柱状シリコン層１３０、１３３と前記第１のダミーゲート１１７、１１９と前記第２のダミーゲート１１８の周囲に第４の絶縁膜１３５を形成する。第４の絶縁膜１３５は、酸化膜が好ましい。第３のレジスト３０１を形成し、エッチバックを行い、前記第１の柱状シリコン層１２９、１３１、１３２、１３４上部を露出する。このとき、第２の柱状シリコン層１３０、１３３上部を露出してもよい。
【００６６】
図１７に示すように、不純物を導入し、前記第１の柱状シリコン層１２９、１３１、１３２、１３４上部に第１の拡散層３０２、３０４、３０５、３０７を形成する。また、第２の柱状シリコン層１３０、１３３上部に第１の拡散層３０３、３０６を形成してもよい。ｎ型拡散層のときは、砒素やリンを導入することが好ましい。ｐ型拡散層のときは、ボロンを導入することが好ましい。
【００６７】
図１８に示すように、第３のレジスト３０１を除去する。
【００６８】
図１９に示すように、前記第４の絶縁膜１３５の周囲に第２のポリシリコン１３６を堆積する。
【００６９】
図２０に示すように、第２のポリシリコン１３６をエッチングをすることにより、前記第１のダミーゲート１１７、１１９と前記第１の柱状シリコン層１２９、１３１、１３２、１３４と前記第２のダミーゲート１１８と前記第２の柱状シリコン層１３０、１３３の側壁に残存させ、第３のダミーゲート１３７、１３９と第４のダミーゲート１３８を形成する。このとき、第４の絶縁膜１３５は分離され、第４の絶縁膜１４０、１４１、１４２となってもよい。
【００７０】
以上により、前記第２工程の後、前記第１の柱状半導体層と前記第２の柱状半導体層と前記第１のダミーゲートと前記第２のダミーゲートの周囲に第４の絶縁膜を形成し、前記第４の絶縁膜の周囲に第２のポリシリコンを堆積し、エッチングをすることにより、前記第１のダミーゲートと前記第１の柱状半導体層と前記第２のダミーゲートと前記第２の柱状半導体層の側壁に残存させ、第３のダミーゲートと第４のダミーゲートを形成する第３工程が示された。
【００７１】
次に、前記フィン状半導体層上部と前記第１の柱状半導体層下部と前記第２の柱状半導体層下部に第２の拡散層を形成し、前記第３のダミーゲートと前記第４のダミーゲートとの周囲に、第５の絶縁膜を形成し、エッチングをし、サイドウォール状に残存させ、前記第５の絶縁膜からなるサイドウォールを形成し、前記第２の拡散層上に金属と半導体の化合物を形成する第４工程を示す。
【００７２】
図２１に示すように、不純物を導入し、前記第１の柱状シリコン層１２９、１３１、１３２、１３４下部と前記第２の柱状シリコン層１３０、１３３下部に第２の拡散層１４３ａ、１４３ｂを形成する。ｎ型拡散層のときは、砒素やリンを導入することが好ましい。ｐ型拡散層のときは、ボロンを導入することが好ましい。拡散層形成は、後述の第５の絶縁膜からなるサイドウォール形成後に行ってもよい。
【００７３】
図２２に示すように、前記第３のダミーゲート１３７、１３９と前記第４のダミーゲート１３８との周囲に、第５の絶縁膜１４４を形成する。第５の絶縁膜１４４は、窒化膜が好ましい。
【００７４】
図２３に示すように、第５の絶縁膜１４４をエッチングをし、サイドウォール状に残存させ、前記第５の絶縁膜からなるサイドウォール１４５、１４６、１４７を形成する。
【００７５】
図２４に示すように、前記第２の拡散層１４３ａ、１４３ｂ上に金属と半導体の化合物１４８、１４９、１５０、１５１、１５２、１５３、１５４、１５５を形成する。このとき、第３のダミーゲート１３７、１３９上部、第４のダミーゲート１３８上部にも金属と半導体の化合物１５６、１５８、１５７が形成される。
【００７６】
以上により、前記フィン状半導体層上部と前記第１の柱状半導体層下部と前記第２の柱状半導体層下部に第２の拡散層を形成し、前記第３のダミーゲートと前記第４のダミーゲートとの周囲に、第５の絶縁膜を形成し、エッチングをし、サイドウォール状に残存させ、前記第５の絶縁膜からなるサイドウォールを形成し、前記第２の拡散層上に金属と半導体の化合物を形成する第４工程が示された。
【００７７】
次に、前記第４の工程の後、層間絶縁膜を堆積し平坦化し、前記第１のダミーゲートと前記第２のダミーゲートと前記第３のダミーゲートと前記第４のダミーゲートとの上部を露出し、前記第１のダミーゲートと前記第２のダミーゲートと前記第３のダミーゲートと前記第４のダミーゲートとを除去し、前記第２の絶縁膜と前記第４の絶縁膜を除去し、ゲート絶縁膜を前記第１の柱状半導体層の周囲と前記第２の柱状半導体層の周囲と前記第５の絶縁膜の内側に形成し、前記第２の柱状半導体層の底部周辺のゲート絶縁膜を除去するための第４のレジストを形成し、前記第２の柱状半導体層の底部周辺のゲート絶縁膜を除去し、金属を堆積し、エッチバックを行い、前記第１の柱状半導体層の周囲にゲート電極及びゲート配線を形成し、前記第２の柱状半導体層の周囲にコンタクト電極及びコンタクト配線を形成する第５工程を示す。
【００７８】
図２５に示すように、層間絶縁膜１５９を堆積する。コンタクトストッパ膜を用いてもよい。
【００７９】
図２６に示すように、化学機械研磨し、前記第１のダミーゲート１１７、１１９と前記第２のダミーゲート１１８と前記第３のダミーゲート１３７、１３９と前記第４のダミーゲート１３８との上部を露出する。このとき、第３のダミーゲート１３７、１３９上部、第４のダミーゲート１３８上部の金属と半導体の化合物１５６、１５８、１５７を除去する。
【００８０】
図２７に示すように、前記第１のダミーゲート１１７、１１９と前記第２のダミーゲート１１８と前記第３のダミーゲート１３７、１３９と前記第４のダミーゲート１３８とを除去する。
【００８１】
図２８に示すように、前記第２の絶縁膜１２３、１２４、１２５、１２６、１２７、１２８と前記第４の絶縁膜１４０、１４１、１４２を除去する。
【００８２】
図２９に示すように、ゲート絶縁膜１６０を前記第１の柱状シリコン層１２９、１３１、１３２、１３４の周囲と前記第２の柱状シリコン層１３０、１３３の周囲と前記サイドウォール１４５、１４６、１４７の内側に形成する。
【００８３】
図３０に示すように、前記第２の柱状シリコン層１３０、１３３の底部周辺のゲート絶縁膜１６０を除去するための第４のレジスト１６１を形成する。
【００８４】
図３１に示すように、前記第２の柱状シリコン層１３０、１３３の底部周辺のゲート絶縁膜１６０を除去する。ゲート絶縁膜は分離され、ゲート絶縁膜１６２、１６３、１６４、１６５、１６６となる。また、等方性エッチングにより、ゲート絶縁膜１６４、１６５、１６６を除去してもよい。
【００８５】
図３２に示すように、第４のレジスト１６１を除去する。
【００８６】
図３３に示すように、金属１６７を堆積する。
【００８７】
図３４に示すように、金属１６７のエッチバックを行い、前記第１の柱状シリコン層１２９、１３１、１３２、１３４の周囲にゲート電極１６８ａ、１７０ａ及びゲート配線１６８ｂ、１７０ｂを形成し、前記第２の柱状シリコン層１３０、１３３の周囲にコンタクト電極１６９ａ及びコンタクト配線１６９ｂを形成する。
【００８８】
以上により、前記第４の工程の後、層間絶縁膜を堆積し平坦化し、前記第１のダミーゲートと前記第２のダミーゲートと前記第３のダミーゲートと前記第４のダミーゲートとの上部を露出し、前記第１のダミーゲートと前記第２のダミーゲートと前記第３のダミーゲートと前記第４のダミーゲートとを除去し、前記第２の絶縁膜と前記第４の絶縁膜を除去し、ゲート絶縁膜を前記第１の柱状半導体層の周囲と前記第２の柱状半導体層の周囲と前記第５の絶縁膜の内側に形成し、前記第２の柱状半導体層の底部周辺のゲート絶縁膜を除去するための第４のレジストを形成し、前記第２の柱状半導体層の底部周辺のゲート絶縁膜を除去し、金属を堆積し、エッチバックを行い、前記第１の柱状半導体層の周囲にゲート電極及びゲート配線を形成し、前記第２の柱状半導体層の周囲にコンタクト電極及びコンタクト配線を形成する第５工程が示された。
【００８９】
次に、前記第５工程の後、第２の層間絶縁膜を堆積し、平坦化し、前記第１の柱状半導体層上部を露出し、柱状の抵抗が変化する層と下部電極を形成し、前記柱状の抵抗が変化する層と前記下部電極を取り囲むようリセットゲート絶縁膜を形成し、リセットゲートを形成する第６工程を示す。
【００９０】
図３５に示すように、第２の層間絶縁膜１７１を堆積する。
【００９１】
図３６に示すように、第２の層間絶縁膜１７１をエッチバックし、第１の柱状シリコン層１２９、１３１、１３２、１３４上部と、第２の柱状シリコン層１３０、１３３上部を露出する。
【００９２】
図３７に示すように、下部電極のための金属１７５と抵抗が変化する膜１７６と窒化膜１７７を堆積する。
【００９３】
図３８に示すように、柱状の抵抗が変化する層と下部電極を形成するための第５のレジスト１７８、１７９、１８０、１８１を形成する。
【００９４】
図３９に示すように、窒化膜１７７と抵抗が変化する膜１７６と金属１７５とをエッチングする。窒化膜１７７は分離され、窒化膜１７７ａ、１７７ｂ、１７７ｃ、１７７ｄとなる。また、抵抗が変化する膜１７６は分離され、柱状の抵抗が変化する層１７６ａ、１７６ｂ、１７６ｃ、１７６ｄとなる。また、金属１７５は分離され、下部電極１７５ａ、１７５ｂ、１７５ｃ、１７５ｄとなる。
【００９５】
図４０に示すように、第５のレジスト１７８、１７９、１８０、１８１を除去する。
【００９６】
図４１に示すように、リセットゲート絶縁膜１８２を堆積する。
【００９７】
図４２に示すように、リセットゲートとなる金属１８３を堆積する。
【００９８】
図４３に示すように、金属１８３をエッチバックする。
【００９９】
図４４に示すように、窒化膜１８４を堆積する。
【０１００】
図４５に示すように、リセットゲートを形成するための第６のレジスト１８５、１８６を形成する。
【０１０１】
図４６に示すように、窒化膜１８４をエッチングする。窒化膜１８４は分離され、窒化膜１８４ａ、１８４ｂとなる。
【０１０２】
図４７に示すように、第６のレジスト１８５、１８６と窒化膜１８４ａ、１８４ｂをマスクとして金属１８３をエッチングし、リセットゲート１８３ａ、１８３ｂを形成する。
【０１０３】
図４８に示すように、第６のレジスト１８５、１８６を除去する。
【０１０４】
図４９に示すように、第３の層間絶縁膜１８７を堆積する。
【０１０５】
図５０に示すように、第３の層間絶縁膜１８７を平坦化し、窒化膜１７７ａ、１７７ｂ、１７７ｃ、１７７ｄを除去し、柱状の抵抗が変化する層１７６ａ、１７６ｂ、１７６ｃ、１７６ｄ上部を露出する。
【０１０６】
図５１に示すように、金属１８８を堆積する。
【０１０７】
図５２に示すように、ビット線を形成するため第７のレジスト１８９、１９０を形成する。
【０１０８】
図５３に示すように、金属１８８をエッチングし、ビット線１８８ａ、１８８ｂ形成する。
【０１０９】
図５４に示すように、第７のレジスト１８９、１９０を除去する。
【０１１０】
以上により、前記第５工程の後、第２の層間絶縁膜を堆積し、平坦化し、前記第１の柱状半導体層上部を露出し、柱状の抵抗が変化する層と下部電極を形成し、前記柱状の抵抗が変化する層と前記下部電極を取り囲むようリセットゲート絶縁膜を形成し、リセットゲートを形成する第６工程が示された。
【０１１１】
以上により、本発明の実施形態に係る記憶装置の構造を形成するための製造工程が示された。
【０１１２】
なお、本発明は、本発明の広義の精神と範囲を逸脱することなく、様々な実施形態及び変形が可能とされるものである。また、上述した実施形態は、本発明の一実施例を説明するためのものであり、本発明の範囲を限定するものではない。
【０１１３】
例えば、上記実施例において、ｐ型（ｐ＋型を含む。）とｎ型（ｎ＋型を含む。）とをそれぞれ反対の導電型とした半導体装置の製造方法、及び、それにより得られる半導体装置も当然に本発明の技術的範囲に含まれる。
【０１１４】
［付記１］
柱状の相変化層と、
前記柱状の相変化層を取り囲むリセットゲート絶縁膜と、
前記リセットゲート絶縁膜を取り囲むリセットゲートと、
を有し、
前記リセットゲートがヒーターであり、
前記柱状の相変化層と前記リセットゲートとは電気的に絶縁されており、
前記リセットゲートは前記柱状の相変化層の起立方向に垂直な方向に延在している、
ことを特徴とする記憶装置。
［付記２］
前記柱状の相変化層の下部に、下部電極を有することを特徴とする付記１に記載の記憶装置。
［付記３］
前記リセットゲートは、窒化チタンからなることを特徴とする付記１に記載の記憶装置。
［付記４］
前記リセットゲート絶縁膜は、窒化膜からなることを特徴とする付記１に記載の記憶装置。
［付記５］
前記下部電極は、窒化チタンからなることを特徴とする付記２に記載の記憶装置。
［付記６］
前記リセットゲートに前記柱状の相変化層の起立方向に垂直な方向に電流を流すことにより、前記柱状の相変化層のリセットを行うことを特徴とする付記１に記載の記憶装置。
［付記７］
第１の柱状半導体層と、
前記第１の柱状半導体層の周囲に形成されたゲート絶縁膜と、
前記ゲート絶縁膜の周囲に形成されたゲート電極と、
前記ゲート電極に接続されたゲート配線と、
前記第１の柱状半導体層の上部に形成された第１の拡散層と、
前記第１の柱状半導体層の下部に形成された第２の拡散層と、
前記第１の拡散層上に前記第１の拡散層毎に１つのみ形成された前記付記１に記載の記憶装置と、
を有することを特徴とする半導体装置。
［付記８］
半導体基板上に形成されたフィン状半導体層と、
前記フィン状半導体層の周囲に形成された第１の絶縁膜と、
前記フィン状半導体層上に形成された前記第１の柱状半導体層と、
前記ゲート電極と前記ゲート配線の周囲と底部に形成された前記ゲート絶縁膜と、を有し、
前記ゲート電極は金属であって、
前記ゲート配線は金属であって、
前記ゲート配線は前記フィン状半導体層に直交する方向に延在するのであって、
前記第２の拡散層は前記フィン状半導体層に更に形成されることを特徴とする付記７に記載の半導体装置。
［付記９］
前記第２の拡散層は前記半導体基板に更に形成されることを特徴とする付記８に記載の半導体装置。
［付記１０］
前記第２の拡散層に電気的に接続される前記ゲート配線に平行なコンタクト配線を有することを特徴とする付記８または９のいずれか一つに記載の半導体装置。
［付記１１］
前記半導体基板上に形成された前記フィン状半導体層と、
前記フィン状半導体層の周囲に形成された前記第１の絶縁膜と、
前記フィン状半導体層上に形成された第２の柱状半導体層と、
前記第２の柱状半導体層の周囲に形成された金属からなるコンタクト電極と、
前記コンタクト電極に接続された前記フィン状半導体層に直交する方向に延在する金属からなる前記コンタクト配線と、
前記フィン状半導体層と前記第２の柱状半導体層の下部に形成された前記第２の拡散層と、を有し、
前記コンタクト電極は前記第２の拡散層と接続することを特徴とする付記１０に記載の半導体装置。
［付記１２］
前記ゲート電極の外側の幅と前記ゲート配線の幅は同じであって、
前記フィン状半導体層に直交する方向の前記第１の柱状半導体層の幅は前記フィン状半導体層に直交する方向の前記フィン状半導体層の幅と同じであることを特徴とする付記８から１１のいずれか一つに記載の半導体装置。
［付記１３］
前記第２の柱状半導体層と前記コンタクト電極との間に形成された前記ゲート絶縁膜を有することを特徴とする付記１１に記載の半導体装置。
［付記１４］
前記フィン状半導体層に直交する方向の前記第２の柱状半導体層の幅は前記フィン状半導体層に直交する方向の前記フィン状半導体層の幅と同じであることを特徴とする付記１１に記載の半導体装置。
［付記１５］
前記コンタクト電極と前記コンタクト配線の周囲に形成された前記ゲート絶縁膜を有することを特徴とする付記１３に記載の半導体装置。
［付記１６］
前記コンタクト電極の外側の幅と前記コンタクト配線の幅は同じであることを特徴とする付記１１に記載の半導体装置。
［付記１７］
半導体基板上に形成された前記第１の柱状半導体層と、
前記ゲート電極と前記ゲート配線の周囲と底部に形成された前記ゲート絶縁膜と、を有し、
前記ゲート電極は金属であって、
前記ゲート配線は金属であって、
前記第２の拡散層は前記半導体基板に更に形成されることを特徴とする付記７に記載の半導体装置。
［付記１８］
半導体基板の上に、柱状の相変化層と下部電極を形成し、
前記柱状の相変化層と前記下部電極を取り囲むようリセットゲート絶縁膜を形成し、
前記柱状の相変化層と電気的に絶縁され、前記柱状の相変化層の起立方向に垂直な方向に延在しているリセットゲートを形成する第６工程を有することを特徴とする記憶装置の製造方法。
［付記１９］
半導体基板上にフィン状半導体層を形成し、前記フィン状半導体層の周囲に第１の絶縁膜を形成する第１工程と、
前記第１工程の後、前記フィン状半導体層の周囲に第２の絶縁膜を形成し、前記第２の絶縁膜の上に第１のポリシリコンを堆積し平坦化し、ゲート配線と第１の柱状半導体層と第２の柱状半導体層とコンタクト配線を形成するための第２のレジストを、前記フィン状半導体層の方向に対して垂直の方向に形成し、前記第１のポリシリコンと前記第２の絶縁膜と前記フィン状半導体層をエッチングすることにより、前記第１の柱状半導体層と前記第１のポリシリコンによる第１のダミーゲートと前記第２の柱状半導体層と前記第１のポリシリコンによる第２のダミーゲートを形成する第２工程と、
前記第２工程の後、前記第１の柱状半導体層と前記第２の柱状半導体層と前記第１のダミーゲートと前記第２のダミーゲートの周囲に第４の絶縁膜を形成し、前記第４の絶縁膜の周囲に第２のポリシリコンを堆積し、エッチングをすることにより、前記第１のダミーゲートと前記第１の柱状半導体層と前記第２のダミーゲートと前記第２の柱状半導体層の側壁に残存させ、第３のダミーゲートと第４のダミーゲートを形成する第３工程と、
前記フィン状半導体層上部と前記第１の柱状半導体層下部と前記第２の柱状半導体層下部に第２の拡散層を形成し、前記第３のダミーゲートと前記第４のダミーゲートとの周囲に、第５の絶縁膜を形成し、エッチングをし、サイドウォール状に残存させ、前記第５の絶縁膜からなるサイドウォールを形成し、前記第２の拡散層上に金属と半導体の化合物を形成する第４工程と、
前記第４工程の後、層間絶縁膜を堆積し平坦化し、前記第１のダミーゲートと前記第２のダミーゲートと前記第３のダミーゲートと前記第４のダミーゲートとの上部を露出し、前記第１のダミーゲートと前記第２のダミーゲートと前記第３のダミーゲートと前記第４のダミーゲートとを除去し、前記第２の絶縁膜と前記第４の絶縁膜を除去し、ゲート絶縁膜を前記第１の柱状半導体層の周囲と前記第２の柱状半導体層の周囲と前記第５の絶縁膜の内側に形成し、前記第２の柱状半導体層の底部周辺の前記ゲート絶縁膜を除去するための第４のレジストを形成し、前記第２の柱状半導体層の底部周辺の前記ゲート絶縁膜を除去し、金属を堆積し、エッチバックを行い、前記第１の柱状半導体層の周囲にゲート電極及び前記ゲート配線を形成し、前記第２の柱状半導体層の周囲にコンタクト電極及び前記コンタクト配線を形成する第５工程と、を有し、
前記第５工程の後、第２の層間絶縁膜を堆積し、平坦化し、前記第１の柱状半導体層上部を露出し、
付記１８に記載の第６工程、を有することを特徴とする半導体装置の製造方法。
［付記２０］
前記第２の絶縁膜の上に前記第１のポリシリコンを堆積し平坦化後、前記第１のポリシリコン上に第３の絶縁膜を形成することをさらに含むことを特徴とする付記１９に記載の半導体装置の製造方法。
［付記２１］
前記第１の柱状半導体層と前記第１のダミーゲートと前記第２の柱状半導体層と前記第２のダミーゲートの周囲に前記第４の絶縁膜を形成後、第３のレジストを形成し、エッチバックを行い、前記第１の柱状半導体層上部を露出し、前記第１の柱状半導体層上部に第１の拡散層を形成することを特徴とする付記１９に記載の半導体装置の製造方法。
【符号の説明】
【０１１５】
１０１．シリコン基板
１０２．第１のレジスト
１０３．第１のレジスト
１０４．フィン状シリコン層
１０５．フィン状シリコン層
１０６．第１の絶縁膜
１０７．第２の絶縁膜
１０８．第２の絶縁膜
１０９．第１のポリシリコン
１１０．第３の絶縁膜
１１１．第２のレジスト
１１２．第２のレジスト
１１３．第２のレジスト
１１４．第３の絶縁膜
１１５．第３の絶縁膜
１１６．第３の絶縁膜
１１７．第１のダミーゲート
１１８．第２のダミーゲート
１１９．第１のダミーゲート
１２３．第２の絶縁膜
１２４．第２の絶縁膜
１２５．第２の絶縁膜
１２６．第２の絶縁膜
１２７．第２の絶縁膜
１２８．第２の絶縁膜
１２９．第１の柱状シリコン層
１３０．第２の柱状シリコン層
１３１．第１の柱状シリコン層
１３２．第１の柱状シリコン層
１３３．第２の柱状シリコン層
１３４．第１の柱状シリコン層
１３５．第４の絶縁膜
１３６．第２のポリシリコン
１３７．第３のダミーゲート
１３８．第４のダミーゲート
１３９．第３のダミーゲート
１４０．第４の絶縁膜
１４１．第４の絶縁膜
１４２．第４の絶縁膜
１４３ａ．第２の拡散層
１４３ｂ．第２の拡散層
１４３ｃ．第２の拡散層
１４３ｄ．第２の拡散層
１４４．第５の絶縁膜
１４５．サイドウォール
１４６．サイドウォール
１４７．サイドウォール
１４８．金属と半導体の化合物
１４９．金属と半導体の化合物
１５０．金属と半導体の化合物
１５１．金属と半導体の化合物
１５２．金属と半導体の化合物
１５３．金属と半導体の化合物
１５４．金属と半導体の化合物
１５５．金属と半導体の化合物
１５６．金属と半導体の化合物
１５７．金属と半導体の化合物
１５８．金属と半導体の化合物
１５９．層間絶縁膜
１６０．ゲート絶縁膜
１６１．第４のレジスト
１６２．ゲート絶縁膜
１６３．ゲート絶縁膜
１６４．ゲート絶縁膜
１６５．ゲート絶縁膜
１６６．ゲート絶縁膜
１６７．金属
１６８ａ．ゲート電極
１６８ｂ．ゲート配線
１６９ａ．コンタクト電極
１６９ｂ．コンタクト配線
１７０ａ．ゲート電極
１７０ｂ．ゲート配線
１７１．第２の層間絶縁膜
１７５．金属
１７５ａ．下部電極
１７５ｂ．下部電極
１７５ｃ．下部電極
１７５ｄ．下部電極
１７６．抵抗が変化する膜
１７６ａ．柱状の抵抗が変化する層
１７６ｂ．柱状の抵抗が変化する層
１７６ｃ．柱状の抵抗が変化する層
１７６ｄ．柱状の抵抗が変化する層
１７７．窒化膜
１７７ａ．窒化膜
１７７ｂ．窒化膜
１７７ｃ．窒化膜
１７７ｄ．窒化膜
１７８．第５のレジスト
１７９．第５のレジスト
１８０．第５のレジスト
１８１．第５のレジスト
１８２．リセットゲート絶縁膜
１８３．金属
１８３ａ．リセットゲート
１８３ｂ．リセットゲート
１８４．窒化膜
１８４ａ．窒化膜
１８４ｂ．窒化膜
１８５．第６のレジスト
１８６．第６のレジスト
１８７．第３の層間絶縁膜
１８８．金属
１８８ａ．ビット線
１８８ｂ．ビット線
１８９．第７のレジスト
１９０．第７のレジスト
３０１．第３のレジスト
３０２．第１の拡散層
３０３．第１の拡散層
３０４．第１の拡散層
３０５．第１の拡散層
３０６．第１の拡散層
３０７．第１の拡散層
５０１．柱状の抵抗が変化する層
５０２．リセットゲート絶縁膜
５０３．リセットゲート
５０４．下部電極
【図１】
0005984983.tif 000002
【図２】
0005984983.tif 000003
【図３】
0005984983.tif 000004
【図４】
0005984983.tif 000005
【図５】
0005984983.tif 000006
【図６】
0005984983.tif 000007
【図７】
0005984983.tif 000008
【図８】
0005984983.tif 000009
【図９】
0005984983.tif 000010
【図１０】
0005984983.tif 000011
【図１１】
0005984983.tif 000012
【図１２】
0005984983.tif 000013
【図１３】
0005984983.tif 000014
【図１４】
0005984983.tif 000015
【図１５】
0005984983.tif 000016
【図１６】
0005984983.tif 000017
【図１７】
0005984983.tif 000018
【図１８】
0005984983.tif 000019
【図１９】
0005984983.tif 000020
【図２０】
0005984983.tif 000021
【図２１】
0005984983.tif 000022
【図２２】
0005984983.tif 000023
【図２３】
0005984983.tif 000024
【図２４】
0005984983.tif 000025
【図２５】
0005984983.tif 000026
【図２６】
0005984983.tif 000027
【図２７】
0005984983.tif 000028
【図２８】
0005984983.tif 000029
【図２９】
0005984983.tif 000030
【図３０】
0005984983.tif 000031
【図３１】
0005984983.tif 000032
【図３２】
0005984983.tif 000033
【図３３】
0005984983.tif 000034
【図３４】
0005984983.tif 000035
【図３５】
0005984983.tif 000036
【図３６】
0005984983.tif 000037
【図３７】
0005984983.tif 000038
【図３８】
0005984983.tif 000039
【図３９】
0005984983.tif 000040
【図４０】
0005984983.tif 000041
【図４１】
0005984983.tif 000042
【図４２】
0005984983.tif 000043
【図４３】
0005984983.tif 000044
【図４４】
0005984983.tif 000045
【図４５】
0005984983.tif 000046
【図４６】
0005984983.tif 000047
【図４７】
0005984983.tif 000048
【図４８】
0005984983.tif 000049
【図４９】
0005984983.tif 000050
【図５０】
0005984983.tif 000051
【図５１】
0005984983.tif 000052
【図５２】
0005984983.tif 000053
【図５３】
0005984983.tif 000054
【図５４】
0005984983.tif 000055